(57)【特許請求の範囲】
【請求項１】
表示板と、該表示板の周囲に配置される発光体と、該発光体を発光させる電力を生起する太陽電池ユニットとを備えた自発光式道路標識であって、
前記表示板の後方には取付部が設けられ、該取付部の後面側に支柱保持部材が左右に摺動可能に取り付けられて、支柱へ固定されるようになされると共に
前記太陽電池ユニットと前記支柱保持部材との間に前後方向の隙間を形成させる嵩上材が、前記取付部の前面側に取り付けられており、
前記表示板の周囲には別体に形成された枠体が設けられ、
該枠体には前記発光体と、前記太陽電池ユニットとが取り付けられており、
前記取付部は前記嵩上材を介して前記枠体に取り付けられると共に、
前記表示板は前記嵩上材とは異なる表示板嵩上材を介して前記取付部に取り付けられていることを特徴とする自発光式道路標識。
【発明の詳細な説明】
【技術分野】
【０００１】
本発明は、表示板の周囲に発光体を配置して存在喚起を高めるようにした自発光式道路標識に関するものである。
【背景技術】
【０００２】
表示板の周囲に発光体を配置し、夜間においてこれを点滅発光させて存在喚起を高めるようにした自発光式道路標識には、種々の発明が開示されている。
【０００３】
例えば、特許文献１には、多角形の表示板と、太陽電池と、前記太陽電池により生起された電力を蓄電する蓄電手段と、発光
ダイオードと、前記発光ダイオードを点滅又は点灯させる制御手段とを備えた自発光式道路標識板であって、前記表示板が形成する隅部各々の近傍に、各々前記発光ダイオードが三体以上集約されて発光体群として配置されていることを特徴とする自発光式道路標識板、が本出願人によって開示されている。
【先行技術文献】
【特許文献】
【０００４】
【特許文献１】特開２００７−０７７７３０号公報
【発明の概要】
【発明が解決しようとする課題】
【０００５】
本発明は、これとは異なる構成により、存在喚起を高めると共に、支柱へ取り付ける際の位置調整の自由度を高めた自発光式道路標識を提供するものである。
【課題を解決するための手段】
【０００６】
上記目的を達成するため、本発明は以下のような構成としている。
すなわち本発明に係る自発光式道路標識は、表示板と、該表示板の周囲に配置される発光体と、該発光体を発光させる電力を生起する太陽電池ユニットとを備えた自発光式道路標識であって、
前記表示板の後方には取付部が設けられ、該取付部の後面側に支柱保持部材が左右に摺動可能に取り付けられて、支柱へ固定されるようになされると共に
前記太陽電池ユニットと前記支柱保持部材との間に前後方向の隙間を形成させる嵩上材が、前記取付部の前面側に取り付けられており、
前記表示板の周囲には別体に形成された枠体が設けられ、
該枠体には前記発光体と、前記太陽電池ユニットとが取り付けられており、
前記取付部は前記嵩上材を介して前記枠体に取り付けられると共に、
前記表示板は前記嵩上材とは異なる表示板嵩上材を介して前記取付部に取り付けられていることを特徴とするものである。
【０００７】
本発明に係る自発光式道路標識によれば、表示板と、この表示板の周囲に配置させる発光体と、この発光体を発光させる電力を生起する太陽電池ユニットとを備えるので、太陽電池ユニットから電力を供給して発光体を発光させ、表示板の誘目性を高めることができる。
また、表示板の後方に取付部を設け、この取付部の後面側へ支柱保持部材を左右に摺動可能に取り付けて、支柱へ固定させるので、支柱への前記表示板の取り付け位置を左右方向に調整させることができる。
また、前記太陽電池ユニットと前記支柱保持部材との間に前後方向の隙間を形成させる嵩上材を、前記取付部の前面側に取り付けるので、取付部へ取り付ける支柱保持部材の位置を左右へ摺動させて調整させたときに、支柱保持部材が太陽電池ユニットに接触することがなく、前記表示板の支柱への取付位置をより自由に調整できる。
【０００８】
また、前記表示板の周囲に別体に形成された枠体を設け、この枠体に前記発光体と、前記太陽電池ユニットとを取り付ければ、前記枠体を前記表示板から分離させ、表示板のみを用いた道路標識として容易に利用できるので、用途の幅が広がり、好ましい。
また、前記取付部を、前記嵩上材を介して前記枠体に取り付けると共に、前記表示板を前記嵩上材とは異なる表示板嵩上材を介して前記取付部に取り付ければ、前記表示板と、前記枠体との前後方向の位置を容易にあわせることができ、好ましい。
【発明の効果】
【０００９】
本発明に係る自発光式道路標識によれば、支柱へ取り付ける際の位置調整の自由度が高められる。
【図面の簡単な説明】
【００１０】
【図１】本発明に係る自発光式道路標識の実施の一形態を占めす、（イ）は正面図であり、（ロ）は側面図である。
【図２】図１の自発光式道路標識の背面図である。
【図３】図１の太陽電池ユニットを示す、（イ）は平面図であり、（ロ）は正面図である。
【図４】図３の太陽電池ユニットの側面図である。
【図５】図２のＡ−Ａ断面図である。
【図６】図１の表示板を示す斜視図である。
【図７】図２の表示板嵩上材を示す、（イ）は平面図であり、（ロ）は正面図である。
【図８】図７の表示板嵩上材を示す斜視図である。
【図９】図１の枠体を示す斜視図である。
【図１０】図６の表示板と図８の表示板嵩上材とを取り付ける状況を示す図である。
【図１１】図１０の表示板嵩上材と図９の枠体とを取り付ける状況を示す図である。
【図１２】図１１の自発光式道路標識を支柱へ取り付ける状況を示す図である。
【図１３】図１２の自発光式道路標識を支柱へ取り付けた状況を示す側面の拡大図である。
【発明を実施するための形態】
【００１１】
本発明の実施の形態を図面に基づき具体的に説明する。
図面において、１は自発光式道路標識である。
本実施形態の自発光式道路標識１は、前面に道路標識が描かれた表示板２と、その周囲を囲うように形成された枠体３を備え、この枠体３に取り付けられた発光体３１の発光により表示板２の存在喚起を高めるように設けられている。
【００１２】
前記表示板２は、角部が丸い五角形形状の板体に形成され、前面に横断歩道の存在を示す指示標識が描かれている。
具体的には、表示板２は、上端から左斜め下方向及び右斜め下方向へそれぞれ延びる２つの斜辺２５と、この各斜辺２５の下部から垂直下方へそれぞれ延びる２つの縦辺２６と、各縦辺２６の下部を水平に繋げる底辺２７とを備える五角形形状に形成されている。
【００１３】
前記枠体３は、棒状の枠材３２が、前記表示板２の外側を全周に亘って囲う五角形形状に形成されて設けられている。即ち枠体３は、各斜辺２５に対応して上端から左斜め下方向及び右斜め下方向へそれぞれ延びる２つの斜辺３５と、各縦辺２６に対応して各斜辺３５の下部から垂直下方へそれぞれ延びる２つの縦辺３６と、底辺２７に対応して各縦辺３６の下部を水平に繋げる底辺３７を備えている。
前記枠体３はその内側に前記表示板２を収納できる大きさに形成されており、具体的には、枠体３と表示板２の縁との間に若干の間隔Ｋが生じる程度に、枠体３を大きく形成させている。
【００１４】
前記枠材３２の前面側には、発光ダイオードからなる発光体３１がそれぞれ間隔を開けて複数取り付けられている。
本実施形態の発光体３１は、五角形形状の枠体３において、上端の角部分に１個、各斜辺３５にそれぞれ２個づつ合計４個、各縦辺にそれぞれ１個づつ合計２個、左下の角部分に1個、右下の角部分に１個、底辺３７に２個取り付けられており、枠体３全体で合計１１個の発光体３１が取り付けられている。
尚、枠材３２の前面側には透光カバー３３が取り付けられており、各発光体３１はこの透光カバー３３の内側に収納されて、風雨やごみなどから保護されている。
【００１５】
枠体３の各斜辺３５には、太陽電池ユニット４がそれぞれ１個づつ合計２個取り付けられている。
図３は図１の太陽電池ユニット４を示す、（イ）は平面図であり、（ロ）は正面図であり、図４は図３の太陽電池ユニット４の側面図であり、図５は図２のＡ−Ａ断面図である。
本実施形態の太陽電池ユニット４は、上方に開口する中空箱状のケース４５と、このケース４５の上方に取り付けられてケース４５の開口を塞ぐ透明な透光カバー４６とを備えた中空箱形状に形成され、その内部に太陽電池４１、蓄電池４２、制御部４３が内装されている。そして、透光カバー４６を透過する太陽光を、太陽電池４１が受光して電力を生起させ、この電力を蓄電池４２に蓄えて、電気的に接続された枠体３の発光体３１へ蓄電池４２の電力を供給して発光させるようになされている。蓄電池４２への蓄電や、発光体３１への電力の供給など制御は、制御部４３にて行われる。
【００１６】
太陽電池ユニット４のケース４５の前面側には、板状に形成されて前方へ突出する支持部４７が形成されている。
支持部４７は、平行に配置されて上下に２個並設されており、各支持部４７の上下の間隔は、枠体３の枠材３２の外側面と内側面の間隔より若干大きく形成されている。即ち、図５に示すように、各支持部４７は、その間に枠材３２を挿入可能な大きさに形成されている。
太陽電池ユニット４は、各支持部４７の間に枠材３２を後面側から挿入させ、この枠材３２と各支持部４７とを貫通する固定ボルトＢ１にナットを締結させて、枠体３に固定されている。
【００１７】
図２に示すように、本実施形態の自発光式道路標識１の後部には、後述する支柱保持部材８を取り付け可能に形成された取付部７が２個取り付けられて設けられている。
前記各取付部７は、嵩上材６を介して前記枠体３に取り付けられ、また、前記表示板２は、表示板嵩上材５を介してこの各取付部７に取り付けられている。
【００１８】
図６は図１の表示板２を示す斜視図である。図６は表示板２の後方からの斜視図である。
本実施形態の表示板２はアルミニウム板で形成されており、その後面には、アルミニウム押出形材で形成された胴縁２１がスポット熔接によって固定されている。
胴縁２１は、平板状の板部２２と、その長手方向の全長に亘って形成されて後面から後方へ突出する２つの突条部２３ａ、２３ｂを備えておいる。そして、その長手方向を横に向け、前記板部２２の前面を表示板２の後面へ当接させて、固定されている。
前記胴縁２１は、上下に２個平行に配置されて、表示板２にそれぞれ固定されており、胴縁２１の固定によって、表示板２の変形に対する強度が向上する。
【００１９】
前記各突条部２３ａ、２３ｂは、板部２２の後面から垂直に突出する板形状にそれぞれ形成されており、上下に平行に配置されて形成されている。また、上側に配置された前記突条部２３ａは、後部が垂直下方へ折れ曲がるように延設されており、下側に配置された前記突条部２３ｂは、後部が垂直上方へ折れ曲がるように延設されている。
具体的には、前記突条部２３ａ、２３ｂは、その間に後述する固定ボルトＢ２の頭部を収納させて支持可能に形成されており、突条部２３ａ、２３ｂに支持された固定ボルトＢ２が、その雄ねじ部分を突条部２３ａ、２３ｂの後面から後方へ突出させて、表示板２の後面側へ取り付けられるようになされている。
【００２０】
図７は図２の表示板嵩上材５を示す、（イ）は平面図であり、（ロ）は正面図であり、図８は図７の表示板嵩上材５を示す斜視図である。図８は表示板嵩上材５の後方からの斜視図である。
本実施形態の表示板嵩上材５は、折り曲げ加工されたアルミニウム板から形成されており、矩形に形成された前板部５１と、その左右の縦辺からそれぞれ垂直後方へ延設される２個の嵩上部５５と、各嵩上部５５の後部から垂直側方へ延設されてそれぞれ外側方向へ突出する２個の後板部５７とを備えている。
【００２１】
前板部５１には、上下方向に長い貫通長穴５２が形成されている。貫通長穴５２は矩形の前板部５１の四隅付近にそれぞれ１個づつ配置され、合計４個形成されている。
また、後板部５７には、丸穴形状の貫通穴５８が形成されており、この貫通穴５８は各後板部５７にそれぞれ２個づつ合計４個設けられている。そして、後板部５７の前面において、前記各貫通穴５８に対応する位置にナット部材Ｎ４がそれぞれ１個づつ合計４個固定されている。
【００２２】
図１０は図６の表示板２と図８の表示板嵩上材５とを取り付ける状況を示す図である。
最初に、表示板２の胴縁２１へ固定ボルトＢ２を取り付ける。突条部２３ａ、２３ｂに支持されて取り付けられた固定ボルトＢ２は、雄ねじ部分を後方へ突出させ、上側に配置された胴縁２１と、下側に配置された胴縁２１とへ、それぞれ２個づつ合計４個取り付けられる。
これら４個の各固定ボルトＢ２の雄ねじ部分を、表示板嵩上材５の各貫通長穴５２へそれぞれ挿通させ、更にナットＮ２を螺結させて、表示板嵩上材５を表示板２へ固定させる。
表示板嵩上材５は、前板部２１の前面を、各胴縁２１の突条部２３ａ、２３ｂの後面へ当接させて、表示板２へ固定される。
【００２３】
胴縁２１へ支持される固定ボルトＢ２は、そのボルトの頭部を胴縁２１の長手方向に沿う各突条部２３ａ、２３ｂの間に収納させて支持されている。このため、ナットＮ２の螺結を緩めることで、固定ボルトＢ２を胴縁２１の長手方向に沿って横方向へ位置調整が可能に設けられる。これにより、表示板２へ固定させる表示板嵩上材５を横方向へ摺動させて、その取り付け位置の調整が可能となされている。
また、表示板嵩上材５は、固定ボルトＢ２の雄ねじ部分を挿通させる各貫通長穴５２を、それぞれ上下方向に長い長穴形状に形成させているので、固定ボルトＢ２の取り付けられた表示板２に対して上下方向への位置調整が可能となされている。
即ち、表示板２に取り付けられる表示板嵩上材５は、表示板２に対して上下及び左右方向の位置調整可能に取り付けられるようになされている。
【００２４】
図９は図１の枠体３を示す斜視図である。図９は枠体３の後方からの斜視図であり、図の簡略化のために太陽電池ユニット４の図示を省略している。
枠材３２で構成される、斜辺３５、縦辺３６、底辺３７からなる五角形形状に形成された枠体３の後面には、嵩上材６がリベット止めされて固定されている。
【００２５】
本実施形態の嵩上材６は、折り曲げ加工されたアルミニウム板から形成されており、矩形に形成された後板部６７と、その左右の縦辺からそれぞれ垂直前方へ延設される２個の嵩上部６５と、各嵩上部６５の前部から垂直側方へ延設されてそれぞれ外側方向へ突出する２個の前板部６１とを備えている。
嵩上材６は、各前板部６１の前面を、枠体３の後面へ当接させて、固定されている。
前記嵩上材６は、上下に２個平行に配置されて、枠体３にそれぞれ固定されており、上方に配置された嵩上材６は、枠体３の２つの斜辺３５の間に架け渡されて取り付けられ、下方に配置された嵩上材６は、枠体３の２つの縦辺３６の間に架け渡されて取り付けられている。
【００２６】
前記各嵩上材６の後板部６７の後面には、アルミニウム押出形材で形成された取付部７がそれぞれ取り付けられ、スポット熔接によって固定されている。
本実施形態の各取付部７は、前記胴縁２１と同一の断面形状に形成されている。
即ち、各取付部７は、平板状の板部７２と、その長手方向の全長に亘り形成されて後面から後方へ突出する２つの突条部７３ａ、７３ｂを備えており、上側に配置された前記突条部７３ａは、後部が垂直下方へ折れ曲がるように延設されており、下側に配置された前記突条部７３ｂは、後部が垂直上方へ折れ曲がるように延設されている。前記突条部７３ａ、７３ｂは、その間に後述する固定ボルトＢ３の頭部を収納させて支持可能に形成されている。
そして、各取付部７は、その長手方向を横に向け、前記板部７２の前面を嵩上材６の後板部６７の後面へ当接させて、固定されている。
【００２７】
また、各取付部７及び嵩上材６には、平板部７２の後面から後板部６７の前面へ至る丸孔形状の貫通穴７８が形成されている。
前記貫通穴７８は、前記各取付部７及び嵩上材６において、それぞれ２個づつ合計４個形成されている。
４個の貫通穴７８は、前記表示板嵩上材５の各後板部５７に形成された４個の貫通穴５８の配置に対応する位置にそれぞれ形成されている。
【００２８】
図１１は図１０の表示板嵩上材５と図９の枠体３とを取り付ける状況を示す図である。
枠体３へ取り付けられた嵩上材６及び取付部７に形成された各貫通孔７８へ、固定ボルトＢ４の雄ねじ部分を挿入させる。各貫通孔７８は、固定ボルトＢ４の雄ねじ部分が挿通可能で、そのボルトの頭部が挿通不能な大きさに形成されている。
前記各固定ボルトＢ４を、表示板２へ取り付けられた表示板嵩上材５の各貫通孔５８へ挿入し、ナット部材Ｎ４へ螺結させて、枠体３と前記表示板嵩上材５とを固定させている。
即ち、表示板２は、胴縁２１に取り付けられた表示板嵩上材５の後板部５７の後面を、枠体３に取り付けられた嵩上材６の後板部６７の前面へ当接させて、枠体３の取付部７に固定されている。
【００２９】
図１２は図１１の自発光式道路標識１を支柱へ取り付ける状況を示す図であり、図１３は図１２の自発光式道路標識１を支柱へ取り付けた状況を示す側面の拡大図である。
図１２においては、図面の簡略化のために、表示板２と、表示板嵩上材５の図示を省略している。
本実施形態の自発光式道路標識１は、取付部７に取り付けられる支柱保持部材８を介して、立設される支柱Ｓへ取り付けられるようになされている。
本実施形態の支柱保持部材８は、帯状の金属板を曲げ加工して形成された所謂Ｕバンドであり、支柱Ｓの外周面に沿う曲板形状に形成された巻回部８１と、この巻回部の両側の端から外側側方へそれぞれ突出する平板形状の当接部８２とを備え、各当接部８２には丸穴形状の貫通穴８３がそれぞれ１個づつ合計２個形成されている。
【００３０】
自発光式道路標識１の取り付けは、最初に取付部７へ固定ボルトＢ３を取り付ける。取付部７の突条部７３ａ、７３ｂに支持されて固定された固定ボルトＢ３は、雄ねじ部分を後方へ突出させ、上側に配置された取付部７と、下側に配置された取付部７とへ、それぞれ２個づつ合計４個取り付けられる。
各固定ボルトＢ３の雄ねじ部分を、支柱Ｓへ巻回部８１を巻回させた２個の支柱保持部材８の各貫通穴８３へそれぞれ挿通させて、その後方からナットＮ３を螺結させる。
各支柱保持部材８は、各々の各当接部８２の前面を、各取付部７の突条部７３ａ、７３ｂの後面へ当接させて、各取付部７へ取り付けられ、自発光式道路標識１が支柱Ｓへ取り付けられる。
【００３１】
取付部７へ支持される固定ボルトＢ３は、胴縁２１に支持される固定ボルトＢ２と同様に、ナットＮ３の螺結を緩めれば、取付部７の長手方向に沿って横方向への位置調整が可能に設けられている。これにより、取付部７へ固定させる支柱保持部材８を横方向へ摺動させて、その取り付け位置の調整が可能となされている。
また、Ｕバンドからなる支柱保持部材８は、支柱Ｓの任意の高さで巻回させて取り付け可能となされる。
即ち、自発光式道路標識１は、支柱Ｓに対して上下及び左右方向の位置調整可能に取り付けられるようになされている。
【００３２】
本実施形態の表示板２は、表示板嵩上材５を介して各取付部７へ取り付けられている。表示板嵩上材５は、前板部５１と後板部５７との間に形成された嵩上部５５を備えるので、支柱保持部材８が取り付けられる取付部７の後面位置Ｒと表示板２との間に、少なくとも嵩上部５５の前後の大きさ以上の隙間が形成されるようになされている。
また、各取付部７は、各嵩上材６を介して枠体３へ取り付けられているので、取付部７の後面位置Ｒと枠体３との間に、少なくとも嵩上部６５の前後の大きさ以上の隙間が形成されるようになされている。
このように、表示板２と、枠体３を、それぞれ表示板嵩上材５と嵩上材６を介して取付部７へ固定させるので、支柱保持部材８を介して自発光式道路標識１を支柱Ｓへ取り付けたときに、表示板２と枠体３との前後の位置に大きな隔たりが生じず、別体に形成された表示板２と枠体３とが一体的に視認できるようになされている。
【００３３】
本実施形態の各太陽電池ユニット４は、ケース４５の前面に形成させた支持部４７と枠材３２とを固定させて、枠体３の後面側に取り付けるに際して、取付部７と枠体３との間に嵩上材６を取り付けることにより、太陽電池ユニット４の最後端を取付部７の後面位置Ｒより前方へ配置させて、枠体３へ取り付けている。これによって、取付部７へ取り付けた支柱保持部材８を横方向へ動かして位置調整させても、支柱Ｓが太陽電池ユニット４へ接触することがなく、支柱Ｓへの自発光式道路標識１の取り付け位置の自由度が向上する。
【００３４】
また、表示板２と枠体３とを別体に設けるので、枠体３を取り外して表示板２のみを道路標識として用いることができる。表示板２からの枠体３の取り外しは、図１０に示す、胴縁２１に支持させた固定ボルトＢ２とナットＮ２との螺結を解除し、表示板２から表示板嵩上材５を取り外すことで容易に実施できる。
そして、本実施形態の表示板２の胴縁２１は、取付部７と同一の断面形状に形成されているので、支柱保持部材８の取り付けに用いられる固定ボルトＢ３を前記胴縁２１へ支持させ、支柱保持部材８を胴縁２１へ取り付けて、枠体３を取り外した表示板２を支柱Ｓへ容易に取り付けることができる。
このとき、胴縁２１へ取り付ける支柱保持部材８を左右へ摺動させて位置調整させ、表示板２の支柱への取付位置を容易に調整可能であることも明確である。
【符号の説明】
【００３５】
１    自発光式道路標識
２    表示板
２１  胴縁
２２  平板部
２３ａ、２３ｂ  突条部
３    枠体
３１  発光体
３２  枠材
３３  透光カバー
３５  斜辺
３６  縦辺
３７  底辺
４    太陽電池ユニット
４１  太陽電池
４２  蓄電池
４３  制御部
４５  ケース
４６  透光カバー
４７  支持部
５    表示板嵩上材
５１  前板部
５２  貫通長穴
５５  嵩上部
５７  後板部
５８  貫通穴
６    嵩上材
６１  前板部
６５  嵩上部
６７  後板部
７    取付部
７８  貫通穴
８    支柱保持部材
８１  巻回部
８２  当接部
８３  貫通穴
【図１】
0005995499.tif 000002
【図２】
0005995499.tif 000003
【図３】
0005995499.tif 000004
【図４】
0005995499.tif 000005
【図５】
0005995499.tif 000006
【図６】
0005995499.tif 000007
【図７】
0005995499.tif 000008
【図８】
0005995499.tif 000009
【図９】
0005995499.tif 000010
【図１０】
0005995499.tif 000011
【図１１】
0005995499.tif 000012
【図１２】
0005995499.tif 000013
【図１３】
0005995499.tif 000014